Podtech/llm-jp-corpus-v4-ja_patent huggingface dataset:
(57)【要約】      （修正有）【課題】家屋への不法侵入者を有効に排除できない現状において、なお不法侵入者を警報音によって撃退しようとする。【解決手段】家屋に不法侵入する侵入者を、戸棚または机の引き出し３背後部に設置した引き出し警報装置により、警報音をもって撃退しようとするものである。通り引き出し３が、不正に引き出された場合、引き出し背後に取り付けられた絶縁板２も右方向に移動するため、位置スイッチ１は接点を閉じて、警報装置を作動させ、電鈴１２を鳴動させることにより、不法侵入者を撃退させようとするものである。【選択図】図１
2014229295.tif 000002
【特許請求の範囲】
【請求項１】
戸棚、または机の引き出しの不法な動作を検出して警報する、警報装置。
【発明の詳細な説明】
【技術分野】
【０００１】本発明は家屋内における、不法侵入者の撃退を目的として、戸棚または机の引き出しの背後部に、引き出しの不法動作を検出する警報装置を設置したものである。
【背景技術】
【０００２】従来家屋内防犯対策としては、戸締り、ドアロック、雨戸、赤外線装置など広く公知されている、
しかし、不法なカギ解錠、ガラス破りなど必ずしも初期の目的を達成できていなかった。
【発明の概要】
【０００３】この発明は、家屋への不法侵入者を有効に排除できない現状において、なお不法侵入者を警報音によって撃退しようとするものである、不法侵入者は室内物色のため、引き出しを引き出す特性がある。
本発明はこの特性に着目し、引き出し背後部に引き出し動作検出部を設置して、不法な引き出しの動作には、警報装置を作動させ、警報音をもって不法侵入者を撃退しようとするものである。
第一図はこの発明による引き出し警報装置を設置した、戸棚の左側面断面図である、
第一図、▲１▼はこの発明による、位置スイッチである、引き出し▲３▼が収納されている状態では、引き出し背後部に取り付けられた絶縁板▲２▼により、その接点は押し広げられている、▲４▼は棚、▲８▼はこの警報装置の手動停止スイッチである。
第二図の通り引き出し▲３▼が、不正に引き出された場合、引き出し背後に取り付けられた絶縁板▲２▼も右方向に移動するため、位置スイッチ▲１▼は接点を閉じて、警報装置を作動させ、電鈴▲１２▼を鳴動させることにより、不法侵入者を撃退させようとするものである。▲１▼はこの発明による、引き出しの位置検出スイッチである、▲２▼は引き出しに連動して動作する絶縁板、▲３▼は引き出し、▲８▼はこの警報装置の手動停止スイッチ、▲１２▼は電鈴である。
第三図はこの警報装置の具体的展開接続図である、▲１▼は引き出しの不法動作を検出する位置スイッチ、▲２▼は引き出し背後部に取り付けられた、絶縁板である、この状態で引き出し▲３▼が不正に引き出された場合、引き出し▲３▼に連動した絶縁板▲２▼は引き抜かれ、位置スイッチ▲１▼は接点を閉じ、補助継電器ａｕｘ▲１０▼を励磁する、補助継電器▲１０▼は自己保持接点▲１１▼により自己保持し、電鈴▲１２▼を鳴動させ、不法侵入者を撃退しようとするものである、▲９▼は限時継電器の接点で、一定時間後警報装置を停止する、
▲５▼は遮断器で家庭用電源１００ボルトから受電し、この警報装置の故障時遮断して安全を保持する、▲６▼は交流直流変換器および定電圧装置で直流１２ボルトを維持する、▲７▼は蓄電池で、もし不法侵入者が家庭用電源を切りとした場合でも、安定的に一定時間電鈴▲１２▼を鳴動させるためのものである。
▲８▼はこの警報装置の停止スイッチである、居住者在宅時このスイッチを切りとして、引き出しの日常運用に支障がないようにしている、
▲９▼は限時動作の接点で、一定期間鳴動させた警報を停止させる、
第四図は引き出し▲３▼が不正に引き出されたとき、引き出し背後部に取り付けられた絶縁板▲２▼が抜けるため、位置スイッチ▲１▼が接触した状態を示す
【課題を解決するための手段】
【０００４】この発明は不法侵入者に、警報装置の設置場所を認知させないため、配線や装置復帰ボタンを、外観からは分からないように設置しなければならない、一方警報音を発する電鈴は、玄関の屋外の高い所や、吐き出し窓の上に取り付け、金網保護カバーをつけて、安易に破壊されないよう設置し、不法侵入しようとする侵入者をけん制することもできる。
【発明の効果】
【０００５】この発明により、不法侵入者は金員や貴重品が入った引き出しを、引き出せなくなる、当然不法侵入の意味が失われ、不法侵入の減少につながる。
【発明を実施するための最良の形態】
【０００６】広く社会に告知し、家具製造者と連携し、普及宣伝に努める。
【図面の簡単な説明】
【０００７】
【図１】▲１▼この発明による、引き出し位置検出スイッチ、▲２▼この発明による、引き出しに連動して動作する絶縁板である、▲３▼引き出し、▲４▼棚  ▲８▼この警報装置の手動停止スイッチ、▲１２▼電鈴
【図２】▲１▼この発明による、引き出し位置検出スイッチ、この図の場合絶縁板▲２▼が抜けて接触している、▲３▼引き出し、▲８▼手動停止スイッチ、▲１２▼電鈴、
【図３】▲１▼この発明による、引き出し位置検出スイッチ、▲２▼この発明による、引き出しに連動した絶縁板、▲３▼引き出し、▲４▼  ▲５▼電源遮断器、▲６▼交流直流変換器および定電圧装置、▲７▼蓄電池、▲８▼手動停止スイッチ、▲９▼限時継電器接点、▲１０▼補助継電器、▲１１▼補助継電器自己保持接点、▲１２▼電鈴  ▲１３▼限時継電器
【図４】▲１▼この発明による、引き出し位置検出スイッチ、▲２▼この発明による、引き出しに連動して動作する絶縁板、▲３▼引き出し、
【符号の説明】
【０００８】▲１▼  この発明による、引き出し位置検出スイッチ、
▲２▼  この発明による、引き出しに連動した絶縁板、
▲３▼  引き出し、
▲４▼  棚、
▲５▼  電源遮断器、
▲６▼  交流直流遮断器および定電圧装置、
▲７▼  蓄電池、
▲８▼  手動停止装置、
▲９▼  限時継電器接点、
▲１０▼  補助継電器、
▲１１▼  補助継電器自己保持接点、
▲１２▼  電鈴、
▲１３▼  限時継電器、
【図１】
2014229295.tif 000003
【図２】
2014229295.tif 000004
【図３】
2014229295.tif 000005
【図４】
2014229295.tif 000006
(57)【要約】【課題】従来のペットの体内に埋め込むマイクロチップ方式はコストが高く、獣医師などが埋め込み、読み取りも専用のスキャナーを所有するところでしかできず、読み取ったコードを登録センターに照会しないと飼い主と連絡を取る手段が得られなかった。又、これらのデーターベース登録センターの関係者以外には閲覧することができないため、個人的なデーターベースなどとしても利用する事ができなかった。またＮＦＣタグからＵＲＬを閲覧させる事は個人レベルでも可能であるが、データーベースに連動する商用目的には至っていなかった。【解決手段】首輪、名前札、足輪、腕輪などに付けられた汎用のＮＦＣ規格の非接触ＩＣに対応するスマートフォンなどの携帯端末で読み取り、そのデーターを元にインターネットサーバーにアクセスし、端末上のアプリケーションを起動したり、サーバーからの情報サービスの提供を受けることができるようにすると共に、コールセンターや管理者の電話番号に端末から電話することができるようにする。【選択図】図１
2014229290.tif 000002
【特許請求の範囲】
【請求項１】
専用または汎用のインターネットアクセス先を記録したＮＦＣ規格の非接触ＩＣのついた首輪、腕輪、足輪をペットや痴呆性老人に装着すること
【請求項２】
ＮＦＣ規格対応のインターネットアクセス先を記録したマイクロチップを生体の体内に挿入すること
【請求項３】
次の事項（１）から（３）により特定される生体の管理を目的としたＮＦＣ規格対応スマートフォンなどのインターネット接続可能な端末と生体情報管理の方法。
（１）  第一プロセスでは、事前に配布したＮＦＣ規格の非接触ＩＣデーターをＮＦＣ規格対応の携帯端末から読み取りダウンロードサーバーに誘引し、プログラムを自動で端末にインストールする。汎用のＮＦＣ対応ＩＣタグやＩＣカードを使用する場合は、ユーザー自身がダンロードサイトにアクセスして手動でプログラムをインストールすること
（２）  第二プロセスでは、ＮＦＣ規格対応のインターネット接続可能な携帯端末にインストールされたプログラムからインターネットサーバーの会員登録をした後で会員サーバに自動アクセスする為のデーターをＮＦＣ規格の非接触ＩＣに書き込むこと
（３）  第三プロセスでは、所有者や迷子を発見した者がＮＦＣ規格対応のインターネット接続可能な携帯端末から、非接触ＩＣの情報を読み取り、得られたＵＲＬ情報を元にその生体の個体情報がある会員サーバーにアクセスして取得した簡易情報を端末に表示し管理者に直接電子メールや電話連絡ができること、更にパスワードが入力された場合は、会員サーバーの詳細なサービスの提供を受けられること
【発明の詳細な説明】
【技術分野】
【０００１】  本発明は、ペットや痴呆性老人の名前、所有者、家族、病歴、特徴等の情報管理に関するものである。スマートフォンなどのＮＦＣ規格対応のインターネット接続端末を所有する者が、生体に装着した非接触ＩＣの情報をその端末でスキャンニングして、その生体の個体情報を簡単に取得することができる。これらにより、非接触ＩＣに記録された識別情報と端末のインターネットアクセス機能を連動させることにより、生体のデーターをインターネットサーバーを通じて迅速に管理したり表示できるようになり、飼い主や家族のみならず、誰にでもその情報を共有して見たり、迷子の生体の家族に迅速に連絡を取ることを可能とする発明である。
【背景技術】
【０００２】  従来、ペットなどの迷子の生体管理にはマイクロチップを体内に埋め込み非接触でデーターを読み取ることが可能であった。しかし、この方法では、専用のスキャナーが必要であり、動物保護センターや動物病院などでしか読み取ることができず、識別番号は読み取れても、その後に情報を管理する登録センターに問合せをしない限りその生体の個体情報を迅速に得ることができず、誰でも気軽に利用できるものではなかった。【０００３】  また従来のＮＦＣタグを利用した迷子札などでは、ＮＦＣタグ情報の自動書込手順を顧客に提供していない為、サービスプロバイダーが事前に個別の専用データーを書き込んだものをユーザーに提供する必要があり製造や管理に手間がかかる。【０００４】  ＮＦＣタグにＵＲＬデーターを書込み単にインターネットで閲覧する事は個人レベルでも可能であるが、操作作成の手順が難しくデーターベースに連動するものはなく商用普及には至っていない。
【先行技術文献】
【特許文献】
【非特許文献】
【発明の概要】
【発明が解決しようとする課題】
【０００５】  迷子になり発見された生体の情報をＮＦＣ規格対応のインターネット接続可能な携帯端末を所有する者であれば生体にかざすだけで誰でも情報の一部を簡単に見ることができるようになり、迷子時などの迅速な保護が可能になると共に、生体の家族においては、その迷子情報のみならず詳細な情報管理サービスを提供できる事を課題とする。
【課題を解決するための手段】
【０００６】  事前に同一の会員登録用のダウンロード先データーＵＲＬをＮＦＣ非接触ＩＣに記録した物を配布し、プログラムを携帯端末から実行させ、会員登録後に同じ非接触ＩＣに再度会員情報を書き込むか別の汎用ＮＦＣ規格ＩＣに書き込むようにできること提供する。会員登録完了後はパスワードによりサーバーからの情報サービスの提供を受けることができるようにすると共に第三者などの迷子の発見者である場合には簡易情報のみを見ることができるようにする。このとき個体の管理者は第三者に公開する範囲を選択できるようにするのが好ましい。第三者である迷子の発見者がインターネット接続できない状態であるときには、ＮＦＣ非接触ＩＣに記録されたコールセンターの電話番号に端末から電話することができるようにする。
【発明の効果】
【０００７】  迷子の生体を発見したものは、ＮＦＣ規格対応の端末をかざすだけで、簡単にその家族と連絡できるようになる。生体の家族は固有の情報を端末上で迅速に管理できるようになり利便性が増す。動物愛護組織の保護シェルターなどでも、その動物の個体情報管理がしやすくなる。
【図面の簡単な説明】
【０００８】
【図１】図１は会員と迷子発見者の処理手順フローチャートである。
【図２】図２はＮＦＣ規格の非接触ＩＣ書込手順と会員登録手順フローチャートである。
【図３】図３は会員および迷子発見者の携帯端末に表示される画面である。
【発明を実施するための形態】
【実施例】
【産業上の利用可能性】
【０００９】  非接触ＩＣの販売、会員サーバーの利用料収入、広告費の収入などが期待できる。
しかも、非接触ＩＣは安価であることから、ペットフードの景品などとしても無料で配布もしくは、低価格で販売が可能であり、従来の動物病院で行うマイクロチップの挿入に比べても低コストであると共に、生体に挿入する不安からも解消され安心感があるので普及しやすく、首輪などに装着できる他体内に挿入する場合でも、スマートフォンなどを所有するものなら誰でも迅速にその情報を得られるというメリットが発生する。また体内に挿入する場合であってもこれらの利便性がある。
【符号の説明】
【００１０】  １    ＮＦＣ非接触ＩＣ
２    ＮＦＣ規格対応携帯端末
３    インターネット情報管理サーバー
４    スマートフォン端末
【図１】
2014229290.tif 000003
【図２】
2014229290.tif 000004
【図３】
2014229290.tif 000005
(57)【要約】【構成】  回転ローラーに走行ベルトを巻き掛け、電動モーターで走行ベルトを走行させ、この走行ベルトの上を使用者が歩いて運動する歩行運動装置において、走行ベルトをその裏側で支えている支持板と当該ベルトとの間に、緩衝材から成るクッション部材と、その上に低摩擦材から成る滑りシートを重置して装着したもので、走行ベルトの上で歩く運動をする時、踏み込んだ足に掛かる衝撃を緩和することが出来る。【効果】走行ベルトの下にクッション部材を装着すつことにより、使用者が歩く運動をする時足に掛かる衝撃が緩和され、足関節に掛かる負担を軽減することが出来る。【選択図】図１
2014147653.tif 000002
【特許請求の範囲】
【請求項１】
フレームの前方部と後方部にそれぞれ回転ローラーを回転自在に軸支し、これらの回転ローラーに走行ベルトを巻き掛け、電動モーターによって前記回転ローラーを回転させることにより前記走行ベルトを走行させ、この走行ベルトの上を使用者が歩く歩行運動装置において、走行ベルトの裏側で走行ベルトを支える支持板と当該走行ベルトの間に、緩衝材から成る板状のクッション部材と、当該クッション部材の上に低摩擦材から成る滑りシートを重置して装着したことを特徴とする歩行運動装置。
【発明の詳細な説明】
【発明の詳細な説明】
【技術分野】
【０００１】本発明は、歩行運動装置に関し、電動で駆動され、主として室内で歩く運動をする際に使用されものである。
【背景技術】
【０００２】  従来の歩行運動装置は、フレームの前方部と後方部にそれぞれ回転ローラーを回動自在に軸支し、これらの回転ローラーに走行ベルトを巻き掛け、支持板で当該ベルトの裏側を支持しており、電動モーターで前記回転ローラーを回転させることにより走行ベルトを走行させ、使用者はこの走行ベルトの上を歩いて運動するものである。
【発明の開示】
【発明が解決しようとする課題】
【０００３】  しかしながら、掛かる従来の歩行運動装置にあっては、走行ベルトを支えている支持板が硬い材質で構成されているので、走行ベルトの上を歩く時、踏み込んだ足に衝撃を感じ、また、足の関節に負担が掛かる恐れがある。【０００４】  本発明の課題は、これらの不都合を解消する為に、走行ベルトの裏側と、ベルトを支える支持板との間に板状のクッション部材を装置し、ベルトの上を歩く時の足に掛る衝撃と足の関節に掛かる負担を緩和した歩行運動装置を提供することである。
【課題を解決するための手段】
【０００５】  上記の課題を達成する為に、この発明に係る歩行運動装置においては、フレームの前方部と後方部にそれぞれ回転ローラーを回転自在に軸支し、これらのローラーに走行ベルトを巻き掛け、電動モーターで回転ローラーを回転さて走行ベルトを走行させ、このベルトの上を使用者が歩いて運動をする歩行運動装置において、走行ベルトをその裏で支える支持板と、当該ベルトとの間に衝撃吸収材から成るクッション部材と、当該クッション部材の上に低摩擦材から成る滑りシートを重置して前記支持板に装着するものである。【０００６】
【発明の効果】
【０００７】  この発明に係る歩行運動装置は上記のように構成されているため、足に掛かる衝撃と、足の関節に掛かる負担を緩和することが出来る。
【発明を実施するための最良の形態】
【０００８】  この発明に係る歩行運動装置は実施するに当たり下記の構成に最も主要な特徴を有する。【０００９】  「クッション部材」としては、ゴム、或いは発泡樹脂等、衝撃吸収材から成る板状のもので材質、表面の形状などを限定するものではない。【００１０】「滑りシート」としてはクッション部材を保護するに足る強度と柔軟性を有し、走行ベルトとの摩擦抵抗を軽減する為の摩擦係数の小さい材質のシート状のものであり、通常の樹脂シートに走行ベルトとの滑り接触する部分に摩擦係数の小さい材質のフィルムを貼着した構造とすることも出来る。
【実施例】  以下この発明の実施例を図面に基づいて説明する。【００１１】図１はこの発明に係る歩行運動装置の部分断面正面図、図２はこの装置の走行ベルト面を図１に示すＡ方向から見た図、図３はこの装置の後部を正面から見た断面の拡大図、図４は図１におけるＢ−Ｂ線断面図、図５は滑りシートを通常の樹脂シートに低摩擦の樹脂フィルムを貼着して構成した滑りシートの例を示す。【００１２】  図１〜図４において、フレーム１の前方に駆動回転ローラー２と、後方部に従動回転ローラー３がそれぞれ回動自在に軸支されている。この駆動回転ローラー２と従動回転ローラー３との間に走行ベルト４が巻き掛けられており、電気モーター５はプーリー６，７及び伝道ベルト８を介して前記駆動回転ローラーを回転させ、前記走行ベルト４を後方向に走行させていろ。この走行ベルト４の上面を使用者Ｍが歩行するのである。
９は支持板で、クション部材１０と、その上に滑りシート１１を重置し、押さえ板１２とボルト１３で定着されており、走行ベルトを支えている。【００１３】  このように構成された本発明の歩行運動装置においては、使用者が走行ベルトの上を歩く時、使用者が踏み出した足が走行ベルトに接した時の衝撃をクッション部材が吸収して、足にかかる衝撃と、足の関節に掛かる負担を緩和することが出来る。
【産業上の利用価値】
【００１４】  この発明に係る歩行運動装置は、使用するにあたって使用者の足に掛る衝撃が緩和されるので、足の関節に掛る負担を軽減し、足裏に感じる不快感もなく、室内で快適に歩行運動ができる。よって産業上の利用価値は高いものである。
【図面の簡単な説明】
【００１５】
【図１】本発明に係わる歩行運動装置の部分断面正面図である。
【図２】本装置の走行ベルト面のＡ視図である。
【図３】本装置の後部正面断面拡大図である。
【図４】本装置の横断面詳細図を示す。
【図５】樹脂シートに低摩擦樹脂シートを貼着した滑りシートの図。
【図６】本歩行装置の使用状態を示す。
【００１６】
【符号の説明】
【００１６】  １  −  フレーム
２  −  駆動回転ローラー
３  −  縦動回転ローラー
４  −  走行ベルト
５  −  電動モーター
６  −  プーリー
７  −  プーリー
８  −  電動ベルト
９  −  支持板
１０  −  クッション部材
１１  −  滑りシート
１１Ａ−  樹脂シート
１１Ｂ−  低摩擦樹脂シート
１２  −  押さえ板
１３  −  ボルト
Ｍ  −  使用者
【図１】
2014147653.tif 000003
【図２】
2014147653.tif 000004
【図３】
2014147653.tif 000005
【図４】
2014147653.tif 000006
【図５】
2014147653.tif 000007
【図６】
2014147653.tif 000008
(57)【要約】【課題】主に保温を目的としたＩＨテーブルとＩＨ専用食器を相互作用させる飲食用具を提供する。【解決手段】本発明は以上のような構造である、１ＩＨ機器を内蔵したテーブルとＩＨ機器と相互作用して保温機能を有するための飲食器において、長時間の保温を持続させたままの飲食行為を保つ事が出来る役目を担う機能を設けたことを特徴とする。【選択図】図１
2014147652.tif 000002
【特許請求の範囲】
【請求項１】
主に保温を目的としたＩＨテーブルとＩＨ専用食器を相互作用させる飲食用具
【発明の詳細な説明】
【技術分野】
【０００１】本発明は、飲食テーブルやカウンター・事務机における飲食物を保温することが主な目的である保温箇所を設けた、飲食テーブルやカウンター・事務机のＴＯＰほぼ全面がＩＨである機能を有する事を特徴とする飲食テーブルやカウンター・事務机と専用の飲食用食器を相互作用させる飲食用具に関する。
【背景技術】
【先行技術文献】
【０００２】従来品の事務机にはＩＨ機能を有したものは無く、飲食テーブルや飲食カウンター等には、鍋やフライパン１つ分程度エリアのみの調理を目的としたもの、またはリモコン操作等による操作性向上を目的としたもの等があった。また、テーブルやキッチンの一部へガス設備の代用として組込む要素の多いものがあった。ＩＨ機能が組み込まれたテーブルであっても、ＩＨ機器上の温められた鍋中等から飲食する各自が取り分けた後は、温かい状態を持続させる事が困難であった。（例えば特許文献１，特許文献２参照、）
【特許文献１】特許公開２０１３−１６５１６
【特許文献２】特許出願２００９−８６４２６
【発明の概要】
【発明が解決しようとする課題】
【０００３】しかしながら従来品の事務机にはＩＨ機能を有したものは無く、飲食テーブルや飲食カウンター等には、鍋やフライパン１つ分程度エリアのみの調理を目的としたもの、またはリモコン操作等による操作性向上を目的としたもの等があった。また、テーブルやキッチンの一部へガス設備の代用として組込む要素の多いものがあった。ＩＨ機能が組み込まれたテーブルであっても、ＩＨ機器上の温められた鍋中等から飲食する各自が取り分けた後は、温かい状態を持続させる事が困難であった。また、従来品の飲食テーブルやカウンター・事務机におけるＩＨ利用には、ＩＨ機器を乗せるか、中央等へ組込む工事が必要であったことと、常に最初の温かい状態の飲食物を目前の飲食器等で温かいまま長時間をかけて飲食する機能を有していないという点で不利がある。
【課題を解決するための手段】
【０００４】本発明は、飲食テーブルやカウンター・事務机での飲食用食器を乗せる面すべてがＩＨ機能を有しており、飲食用食器がＩＨ機器と相互作用する専用の食器を使うことにより、また、保温を超える沸点等に達しない適温保温機能を設けることにより、また、ある一定の時間を超えると自動的に電源をＯＦＦにするタイマー等の機能を設けることにより、安全性をより考慮したものを消費者へ提供できる、安全に長時間の保温を目的とした事で上記課題を解決する。
【発明の効果】
【０００５】本発明は、飲食テーブルやカウンター・事務机の飲食用食器を乗せるＴＯＰ面ほぼすべてがＩＨ機能を有しており、飲食用食器がＩＨと相互作用する専用の食器を使うことにより、また、保温を超える沸点等に達しない適温保温機能を設けることにより、また、ある一定の時間を超えると自動的に電源をＯＦＦにするタイマー等の機能を設けることにより、安全性をより考慮したものを消費者へ提供できる、安全に長時間保温を目的とした効果を得るのに極めて有効である。
【発明を実施するための形態】
【０００６】本発明の主に保温を目的としたＩＨテーブルとＩＨ専用食器は、図１の１と２部分に示す範囲での通常飲食において、ＩＨ専用で製作された飲食器を通常の飲食時と同様の行動で長時間の飲食を継続させても、１部分に内蔵されたＩＨ機能と２、３、４、５、６．７と相互作用することによって、飲食物を長時間保温する機能を有する。飲食テーブルやカウンター・事務机の飲食用食器を乗せるＴＯＰ面ほぼすべてがＩＨ機能を有しており、飲食用食器がＩＨと相互作用する専用の食器を使うことにより、また、保温を超える沸点等に達しない適温保温機能を設けることにより、また、ある一定の時間を超えると自動的に電源をＯＦＦにするタイマー等の機能を設けることにより、安全性をより考慮したものを消費者へ提供できる、安全に長時間保温する事が可能である。
本発明は以上のような構造である。
【実施例】
【０００７】図１に示すＩＨ機能を有したテーブルＴＯＰ面と、１、２、３，４，５，６，７のＩＨ機能に相互作用・反応する機能を内蔵させた飲食器は、耐蝕性のあるステンレス製部材や金属部材、硬質部材で製造される事が望ましい。
テーブル脚部や裏面にはＩＨ機能は有しない。６等の手指を触れる部分にはＩＨ機能が作用・反応する必要はない。【０００８】以上、本発明の実施の形態及び実施例を説明したが、本発明の範囲はこれに限定されるものではない。例えば、テーブル中央エリアへ従来品同様に加熱を目的としたＩＨ機能を有しても良い。【０００９】また、切り替スイッチの特性を活かし、従来既製品である、卓上型の置き式ＩＨ機器へ使用を切り替える機能を有しても良い。【００１０】さらに、発明を実施する為の最良の形態と実施例では従来既製品同等の素材・製品類について説明しているが、従来既製品同等の素材・製品類に限られたものではなく、その他例えば、ステンレス材、シート材、軟質塩化ビニール材、樹脂材、アルミ材、鉄材、陶器材、粘土材、木材等、適当な任意の材料のものが利用でき、形状、大きさも、設置位置も任意に選定する事が出来る。また、用途も飲食としての利用を目的とするものに限られず、自然環境に配慮する事を前提とした用途、知育・生産産業として広く用いる事が可能である。
【産業上の利用可能性】
【００１１】本発明は、ＩＨ機器・テーブル・カウンター・机・食器等を製造する産業で利用される。
【図面の簡単な説明】
【００１２】
【図１】本発明を実施するための最良の第一の形態平面図である。
【符号の説明】［受託番号］
１    ＩＨ機器内蔵部
２    ＩＨ機器未内蔵部
３    テーブル・机・カウンター等のＩＨ未内蔵脚部類
４    ＩＨ機器相互作用対応用グラス等
５    ＩＨ機器相互作用対応用グラス等の受け皿及び食器等
６    ＩＨ機器相互作用対応用グラス等のＩＨ未内蔵取手類
７    ＩＨ機器相互作用対応用食器等
【図１】
2014147652.tif 000003
【図２】
2014147652.tif 000004
【図３】
2014147652.tif 000005
【図４】
2014147652.tif 000006
【手続補正書】
【提出日】平成25年5月13日(2013.5.13)
【手続補正１】
【補正対象書類名】明細書
【補正対象項目名】００１２
【補正方法】変更
【補正の内容】
【００１２】
【図１】本発明を実施するための最良の第一の形態平面図である。
【図２】本発明を実施するための最良の第一の形態の立面図である
【図３】本発明を実施するための最良の第一の形態の部品立面図である。
【図４】本発明を実施するための最良の第一の形態の部品立面図である。
(57)【要約】      （修正有）【課題】就床時や睡眠時に歯列内側の口腔内に分泌される唾液を歯列外側と唇の間に誘導し、歯周病の発症を防止するマウスピースを提供する。【解決手段】上下の歯茎と僅かな間隙を保ち、着脱し得る軟質プラスチック製の隔離版１、若しくは唾液を吸収、流出し得る発泡体を就寝時、左右の奥歯と唇との間に装着し、口腔３内に分泌される唾液を吸収させて置き、熟睡時に唾液が分泌しなくなり口腔内が乾いた時にも、歯列の外側を混潤させる構成とする。【選択図】図１
2014147658.tif 000002
【特許請求の範囲】
【請求項１】
口腔の上下歯列奥歯の外側と、上下の唇との間に空隙を設け得る、着脱可能な歯列装着板を就寝中装着し、寝返りや無意識に行う顔の向きの変更により、該空隙に口腔内に分泌する唾液を誘導し、歯列外側での歯周病発症を予防するマウスピース。
【請求項２】
口腔の上下歯列、奥歯の外側と上下唇の裏側との間に、空隙を設け得る着脱可能な歯列装着板の内側に適宜な厚さの軟質発泡体の唾液貯留層を設け、装着板外面に誤嚥防止用鍔、操作用取っ手を備えた、歯列外側での歯周ポケットからの歯周病発症を予防するマウスピース。
【発明の詳細な説明】
【技術分野】
【０００１】  本発明は、日常大多数の人が歯磨きによって口腔の衛生を保ち、虫歯や歯周病を予防せんとするも、歯周病は就寝中に発症し進行することが明らかになり、歯ブラシによる歯磨きだけでの予防は不可能なことが判明したので、人が有する自然治癒力を援用して就寝中に発症するのを予防するマウスピースを開発する。【０００２】  口腔に関する二大疾病の内、虫歯は歯ブラシとフッ素入り歯磨き剤の使用によって改善されているが、歯周病は同方法による清掃だけでは罹患を防止し得ていない。又、薬剤による予防でも効果の挙がっているものは見当たらない。【０００３】  歯周病の罹患部を詳細に調べた処、上下歯列の奥歯の外側（唇側）が大部分で、該部は歯ブラシで磨き易く、最も丁寧に磨いている部位であり、これに反し、磨き難く良く磨けていないはずの、歯列内側の発症例は殆ど無かった。発症後、該部位を時間を掛けて丁寧に磨いても、一度発症した部位は歯磨きだけでは治癒することは殆どなく、その両隣りと共に３，４本を一度に抜くことが多い。【０００４】  何故このような現象が起るのか検証した結果、歯列外周の歯周ポケットは、常時唾液によって湿潤されている歯列内側の歯周ポケットと異なり、唇の裏側によって常に塞がれているので、殺菌作用がある唾液によって洗浄される機会がなく、歯周病は就寝中に罹患し進行することが明らかになった。【０００５】  この様な現象を解明した文献は見当たらず、これに対処しようとする技術は新しい技術分野と云える。
【発明が解決しようとする課題】
【０００６】  口腔内には１ミリグラム中に億単位の善悪の細菌が存在していて、分泌する唾液によって悪玉菌は駆除されているが、唾液の到達し得ない歯列外側の歯周ポケットでは歯周病を発症し、進行し易い。
【発明の開示】
【０００７】  就床時や睡眠時に歯列内側の口腔内に分泌される唾液を歯列外側と唇の間に誘導し得れば、歯列の外側での歯周病の発症は無くなると考え、その方策を研究した処、図１の様に上下歯列と上下唇との間に空隙を設けられるマウスピースを就寝時に嵌装し、口腔内の唾液をマウスピースと歯列との空隙部に誘導する方策を採ることにした。
【０００８】  唾液は寝床に入った時に多量に分泌し、眠りが深くなるにつれて少なくなり、熟眠時には全く分泌しない人も居り、個人差が大きいので、就寝時に分泌した唾液を貯溜し得るようにマウスピースの歯列側に軟質の発泡体を展張し、分泌が無くなっても溜まった唾液で潤うようにする。
【０００９】  マウスピースを口腔内に装着する際に、該部分を指先で嵌装することは非衛生であり、又マウスピースを装着することは口腔内に異物を嵌置ことになるので嚥下の恐れや気管を閉塞する恐れもあるので、図５のように口腔内に入る部位には手を触れずに嚥下防止の鍔兼取っ手を付加し、外部からの操作のみで装着出来るようにして、前述の懸念は払拭した。
【図面の簡単な説明】
【００１０】
【図１】図１は、本発明の請求項１の歯周病を予防するマウスピースを装着し仰臥した人体頭部前歯辺りを過ぎる断面図。
【図２】図２は、図１のマウスピースのみを外側正面から見た図。
【図３】図３は、図２の側面図。
【図４】図４は、本発明請求項２の歯周病を予防するマウスピースを装着し仰臥した人体頭部前歯辺りを過ぎる縦断面図。
【図５】図５は、図４のマウスピースのみを外側正面から見た図。
【図６】図６は、図５の底面図。
【符号の説明】
【００１１】１      隔離板
２      保隔凸起
３      口腔
４      舌
５      前歯
６      発泡体
７      取っ手兼鍔
【図１】
2014147658.tif 000003
【図２】
2014147658.tif 000004
【図３】
2014147658.tif 000005
【図４】
2014147658.tif 000006
【図５】
2014147658.tif 000007
【図６】
2014147658.tif 000008
(57)【要約】      （修正有）【課題】主として、高齢者の引摺り足による、段差のつまづくが骨折事故の原因であり、これを自動的に、足の上るようにした、ステップ台具付きスリッパに関する。【解決手段】踵部６と底部７との間に、両面不織布接着のスポンジ５を設け、前記スポンジ５に円筒形の穴を空け、この中にばね３を内蔵し、ばね仕掛けを利用したステップ台具本体を設け、歩行時のステップにすることを特徴とするステップ台具付きスリッパ。【選択図】図１
2014147656.tif 000002
【特許請求の範囲】
【請求項１】
踵部と底部との間に、両面不織布接着のスポンジを設け、前記スポンジに、円筒形の穴を空け、この中にばねを内蔵し、ばね仕掛を利用したステップ台具付きスリッパ本体を設け、歩行時のステップにすることを特徴とするステップ台具付きスリッパ。
【発明の詳細な説明】
【技術分野】  本発明は、主として、高齢者の引き摺り足による、段差のつまずくが骨折事故の原因であり、これを自動的に足の上るようにした、ステップ台具付きスリッパに関するものである。
【背景技術】
【０００１】  従来は、スリッパの踵を幾分弾力性のある、プラスチック性の物を利用してあるが、スリッパは、洋式の履物であり、日本式の草履より履心地良く現在に致っている。また、若者の間には、踵の無いスリッパまでが人気を博しているのである。
【発明の概要】
【発明が解決しようとする課題】
【０００２】そのために、次のような問題点があった。
（イ）老化現象による筋肉の衰えにより、足を上げずに引摺り徒歩となり、部屋、又は、    道路上の段差につまずき骨折事故を起す原因となっているのである。
（ロ）ホテル、又は、病院の長い廊下を、重い荷物を手に提げ歩く姿を見るからに、いじ    らしいと思われることがある。上述による骨折患者は八万人以上と統計されている。
本発明は、以上の問題点を解決しようとするものである。
【課題を解決するための手段】
【０００３】踵部と底部との間に、両面不織布接着のスポンジを設け、前記スポンジに、円筒形の穴を空けこの中にばねを内蔵し、ばね仕掛けを利用したステップ台具付きスリッパ本体を設け、歩行時のステップにする。以上を特徴とするステップ台具付きスリッパである。
【発明の効果】
【０００４】  本発明は、引摺り徒歩を、踵部に内蔵したばねにより自動的に足が上がり、健康的な状態を取り戻すようにし、距離のある長い廊下も自然に速足徒歩となるので、苦労することなく目的地に到着することができ、使用上希なステップ台具付きスリッパを提供できる。
【図面の簡単な説明】
【０００５】
【図１】  本発明の斜視図
【図２】  本発明の分解斜視図
【発明を実施するための形態】
【０００６】以下、本発明の実施の形態について説明する。
（イ）踵部（６）と底部（７）の間に、不織布（４）を両面に接着した、スポンジ（５）      を設ける。
（ロ）スポンジ（５）の稍、後部の中心部に円筒形の穴（２）を空け、ばね（３）の内臓      に備える。
（ハ）弾力性のあるばね（３）を穴部（２）の中に設ける。
本発明は以上のような構造で、これを使用するときは、上記のステップ台具本体（１）をスリッパの踵部（６）と底部（７）との間に装置することにより、引摺り足の徒歩も、スリッパの爪先（８）一歩をステップするにより、踵部（６）が上がり、次のステップとなる。また、階段の上り降りも、自然にステップ状態になり、一層の効果が得られる。
【発符号の説明】
【０００７】１    ステップ台具本体
２    穴部
３    ばね
４    不織布
５    スポンジ
６    踵部
７    底部
８    爪先
【図１】
2014147656.tif 000003
【図２】
2014147656.tif 000004
(57)【要約】【課題】  煮込み料理、鍋物の調理中に浮き上がってきた油をすくい取るのにレードルかスプーンを使う。この時、油と煮汁を一緒にすくい取ってしまうので、息を吹きかけ油を飛ばし煮汁を鍋にもどすのが一般的である。息を吹きかけて油を吹き飛ばすのも限界があり、煮汁まで飛ばしてしまうので、かなり難しい作業だった。  本発明は、油と煮汁を分離して油を捨てる、漏斗とレードルの一体型油すくいスプーンを提供する。【解決手段】  ふくらみを持たせたカバーを横レードルの上部先端から中程までに貼り付け、レードルの先端下部に穴をあける。レードルを立てた時、漏斗のようになり、比重の重い煮汁が口穴から排出し、残った油を捨てることのできることを特徴とする漏斗とレードルの一体型油すくいスプーン。【選択図】図６
2014147654.tif 000002
【特許請求の範囲】
【請求項１】
ふくらみを持たせたカバーを横レードル（おたま）の上部先端から中程までに貼り付け、レードルの先端下部に穴をあける。レードルを立てた時、漏斗のようになり、比重の重い煮汁が口穴から排出し、残った油を捨てることのできる漏斗とレードルの一体型油すくいスプーン。
【請求項２】
レードルの容量とレードルを立てた時、漏斗の容量がややまさるようにカバーに膨らみを付けたことを特徴とする請求項１における漏斗とレードルの一体型油すくいスプーン。
【請求項３】
先端口穴はレードルの皿部先端に４ｍｍ×１０ｍｍ位の台円形に開ける。口先は液体の切れをよくする為に２〜３ｍｍ突き出して外側に反らしたことを特徴とする請求項１における漏斗とレードルの一体型油すくいスプーン。
【発明の詳細な説明】
【技術分野】
【０００１】  本発明は、煮込み料理、鍋もの調理中に浮き上がってきた油をすくうものである。
【背景技術】
【０００２】  従来、浮き上がってきた油をすくい取るのにレードルかスプーンを使う。この時、油と煮汁を一緒にすくい取ってしまうので息を吹きかけ油を飛ばし、煮汁を鍋にもどすのが一般的である。
【発明の概要】
【発明が解決しようとする課題】
【０００４】  息を吹きかけて油を吹き飛ばすのにも限界があり、煮汁まで飛ばしてしまうので、かなり難しい作業だった。
本発明は、以上の問題点を解決するためになされたものである。
【課題を解決するための手段】
【０００５】横レードル開口部の先端から手前側へ半分程の領域にオーバーカバー付けることと、レードルの先端に穴をあけることで、立てると漏斗状態になり、水と油の比重の差を利用して煮汁を下から抜きとる。
大きさ、形は３０ｃｃ〜７０ｃｃの横レードルで材質は耐熱性透明プラスチックなど。
以上の構成よりなる漏斗とレードルの一体型油すくいスプーン。
【発明の効果】
【０００６】  従来息を吹きかけて油を吹き飛ばすしか方法がなかったが、本発明により息の吹きかけによる油の飛び散りや煮汁の飛び散りを押さえて、油だけをすくいとることを可能にした。
本発明は、油だけではなくアクもすくいとれるし、２種類の比重が混ざった物を分けることができる。
【図面の簡単な説明】
【０００７】
【図１】本発明の平面図
【図２】本発明の正面図
【図３】本発明の右側面図
【図４】本発明の左側面図
【図５】本発明で鍋の油をすくい取った状態を示す正面図
【図６】本発明の鍋の煮汁を鍋に戻す状態を示す正面図
【図７】本発明の煮汁が排出しきった状態を示す正面図
【発明を実施するための形態】
【０００８】以下、本発明の実施の形態を説明する。
（イ）横レードル（１、２）材質は耐熱、透明プラスチックなどで横レードルをつくり、レードル皿部先端に口穴を付ける。
（ロ）ふくらみをもったオーバーカバー（３）材質は耐熱、透明プラスチックなどで作り（２）に貼りつける。
（ハ）又は、以上を一括で型に流して作る。
【符号の説明】
【０００９】１  レードルの柄、２  レードルの皿部、３  レードルに付けるオーバーカバー部、４  煮汁、５  油
【図１】
2014147654.tif 000003
【図２】
2014147654.tif 000004
【図３】
2014147654.tif 000005
【図４】
2014147654.tif 000006
【図５】
2014147654.tif 000007
【図６】
2014147654.tif 000008
【図７】
2014147654.tif 000009
(57)【要約】【課題】カミソリと、カミソリ刃のカス除去ブラシを一緒に携帯出来る、カミソリハンガーを提供する。【解決手段】平板（１）上部に、平板から張り出して先端が下方に曲がる横長部材（２）を水平方向に設け、そして、その設けた部材の下部に、これも平板（１）から張り出し先端が上方に曲がる横長部材（３）を、上記部材（２）と同じ長さで水平方向に設け、上部部材と下部部材の両前端部の間に隙間（４）を設け、そして、下部部材の前端中央部に切り欠き（５）を設け、そして、平板（１）の端部に筒（６）を設けたことを特徴とする、携帯するブラシ付きカミソリハンガー。【選択図】図１
2014147651.tif 000002
【特許請求の範囲】
【請求項１】
平板上部に、平板から張り出して先端が下方に曲がる横長部材を水平方向に設け、そして、その設けた部材の下部に、これも平板から張り出し先端が上方に曲がる横長部材を、上記部材と同じ長さで水平方向に設け、上部部材と下部部材の両前端部の間に、隙間を設け、そして、下部部材の前端中央部に切り欠きを設け、そして、平板の端部に筒を設けたことを特徴とする、携帯するブラシ付きカミソリハンガー。
【発明の詳細な説明】
【技術分野】
【０００１】本発明は、銭湯などの外出時にハンガー本体にカミソリを掛け、又、カミソリ刃のカス除去用のブラシを付けて携帯する、カミソリハンガーに関するものである。
【背景技術】
【０００２】銭湯には使い捨てＴ型カミソリと、使用後のカミソリ刃のカス除去のブラシを持って行く。
従来、壁面に吸盤で吸着させて、カミソリと歯ブラシを一緒に掛けるカミソリハンガーがあった。
【先行技術文献】
【０００３】
【特許文献１】実用新案公開  平０５−０３１７０５号公報
【発明の概要】
【発明が解決しようとする課題】
【０００４】銭湯に行く時、カミソリやブラシをタオルで包み、又は直接手で携帯する。この時、落としたりカミソリで手を怪我する恐れがある。このためカミソリとブラシを一緒に安全に携帯するに及び、上記文献（実用新案公開  平０５−０３１７０５号）のカミソリハンガーの利用を思い至る。しかし上記文献にはのような問題点があった。
（イ）カミソリ、ブラシを掛けて携帯する時、移動中の揺れにより抜け落ちる構成である。
（ロ）又、カミソリ刃が剥き出しのため怪我の心配もある。
本発明は、これらの問題点を解決するためになされたものである。
【課題を解決するための手段】
【０００５】平板上部に、平板から張り出して先端が下方に曲がる横長部材を水平方向に設ける。そして、その設けた部材の下部に、これも平板から張り出し先端が上方に曲がる横長部材を、上記部材と同じ長さで水平方向に設ける。上部部材と下部部材の両前端部の間に、隙間を設ける。そして、下部部材の前端中央部に切り欠きを設け、平板の端部に筒を設ける。
以上を特徴とする、携帯するブラシ付きカミソリハンガーである。
【発明の効果】
【０００６】カミソリとブラシの紛失や怪我もなく安全に携帯出来る。又、カミソリ刃の保護になる。
【図面の簡単な説明】
【０００７】
【図１】本発明の斜視図
【図２】本発明の使用斜視図
【図３】本発明の使用斜視図
【発明を実施するための形態】
【０００８】以下、本発明の実施の形態について説明する。
（イ）平板（１）上部に、平板（１）から張り出して先端が下方に曲がる横長部材（２）を水平方向に設ける。
（ロ）その設けた部材の下部に、これも平板（１）から張り出し先端が上方に曲がる横長部材（３）を、上記部材（２）と同じ長さで水平方向に設ける。
（ハ）上部部材と下部部材の両前端部の間に、隙間（４）を設ける。
（ニ）下部部材の前端中央部に切り欠き（５）を設け、平板（１）の端部に筒（６）を設ける。
本発明は以上のような構成で、これを使用してカミソリとブラシを携帯する時は、両部材（２）（３）片側端部の隙間（４）からカミソリＴ型の上部を差し入れ、その上部を隙間（４）内を下部部材の前端中央の切り欠き部（５）までスライドし、カミソリ刃とカミソリ柄が交わる付け根部分をこの切り欠き部（５）に収める。そして、平板（１）端部の筒（６）にブラシを収める。こうするとカミソリもブラシも抜け落ちることなく携帯出来る。そして、カミソリの使用後の刃のカスの除去はブラシで出来、又、カミソリを両部材（２）（３）に収めることで、カミソリで手の怪我の心配もなくそして、カミソリ刃の保護となり、ハンガーとしてカミソリとブラシを携帯出来るものである。
【符号の説明】
【０００９】１  平板
２  下方に曲がる横長部材
３  上方に曲がる横長部材
４  隙間
５  切り欠き
６  筒
【図１】
2014147651.tif 000003
【図２】
2014147651.tif 000004
【図３】
2014147651.tif 000005
(57)【要約】      （修正有）【課題】釣り場へ持ち込む釣具の負担軽減と現場での素早い組付けに耐えられ釣針の位置が安定し長期の使用に耐えられる釣針付錘を提供する。【解決手段】釣針付錘１の釣針と錘部分を分離して釣針と一体型となる緩衝材２を取付け、錘と緩衝材付釣針３の嵌合部分の形態を規格化し釣針と錘の繰り返しの着脱にも安定した位置決めの可能な物とする。【選択図】図２
2014147379.tif 000002
【特許請求の範囲】
【請求項１】
釣針と錘を着脱可能にすることを特徴とする緩衝材付釣針付錘。
【請求項２】
前記緩衝材と錘の嵌合部分の形状にて釣針等の位置決めが、出来ることを特徴とする請求項１記載の緩衝材。（ダンパー）
【発明の詳細な説明】
【技能分野】
【０００１】この発明は、分離型釣針付錘の釣針と錘の嵌合部形状及び緩衝材付釣針等の着脱に関する。
【背景技術】
【０００２】従来の釣針付錘は、図３の様に釣針２にチモト糸３を結び錘１の貫通穴にチモト糸付の釣針を挿入させ釣針が、固定する様カシメた物である。
図４は、釣針２に竹串４を結び錘１の貫通穴にテンヤピン５を挿入させカシメたピン付錘に釣針付竹串を結び付けた物である。
図５は、錘に環付釣針と環を鋳込んだ物である。
図６は、錘に釣針を鋳込んだ物である。
【発明の開示】
【発明が解決しようとする課題】
【０００３】しかしながら、以上の技術によれば一度組付けてカシメたり鋳込まれた錘と釣針は、それらが一体と成り、各色、各重さ（号数）各釣針（号数）の釣針付錘を多数釣場への持込みは、困難である。【０００４】また、図４に示す釣針付錘スミイカテンヤも同様、名色、名号数、釣場への持ち込みや、その日に使用とする名色、名号数の錘付釣針を多数釣場への持込みは、困難である。【０００５】そこで、この発明は、釣針等と錘を分離し着脱可能にすることにより釣場へ持ち込む釣具の負担軽減と現場での素早い組付けに耐えられる釣針付錘を提供することを課題とする。
【課題を解決する為の手段】
【０００６】以上の課題を解決する為に第一発明は、釣針と説触する錘との間に緩衝材を設け錘の名号数の穴と、それにはめ込む釣針、名号数付緩衝材の形状を規格化することを特徴とする。
また、第二発明は、釣針等の回転やぐらつきを防止する為、緩衝材に釣針等の接着もしくは、緩衝材に釣針等を鋳込むことを特徴とする釣針付錘である。
【発明の効果】
【０００７】第一発明によれば、釣針及び錘を分離して釣場に持ち込めるので道具箱の中も嵩張らずスッキリ整理され組付けも容易なため釣場での瞬間的対応が可能となる。
また第二発明によれば、釣針等の位置が、安定し長期の使用に耐えられる釣針付錘となる。
【発明を実施する為の最良の形態】
【０００８】この発明の一実施形態を図１に示す。
この釣針付錘（鯛テンヤ）の錘１の横長楕円穴に緩衝材２付釣針３に孫針付チモト糸４を通した物を挿入させ貫通したチモト糸チワワ部分を引っぱり緩衝材付釣針をしっかり押込み固定する。
【実施形態の効果】
【０００９】この実施形態によれば錘と緩衝材付釣針との嵌合部分の形状により釣針と錘の脱着が容易で、繰返し繰作にも長期に耐えられる釣針付錘を提供できる。
【他の実施形態】
【００１０】図１の実施形態では、着脱式釣針付錘は、鯛テンヤ型だが、他の実施形態図７スミイカテンヤ型、図８ジグヘッド型、図９フグカットウ型など、それぞれの釣針付錘も、これに類する。
【図面の簡単な説明】
【００１１】
【図１】この発明の一実施形態を示す斜視図である。
【図２】この発明の一実施形態を示す分解図及び断面図２である。
【図３】従来技術を示す側面図１である。
【図４】従来技術を示す側面図２である。
【図５】従来技術を示す側面図３である。
【図６】従来技術を示す側面図４である。
【図７】他の実施形態を示す分解図及び側面図１である。
【図８】他の実施形態を示す分解図及び側面図２である。
【図９】他の実施形態を示す分解図及び側面図３である。
【符号の説明】
【００１２】１  錘
２  緩衝材
３  釣針
４  チモト糸チチワ付
５  テンヤピン
６  竹串
【図１】
2014147379.tif 000003
【図２】
2014147379.tif 000004
【図３】
2014147379.tif 000005
2014147379.tif 000006
【図６】
2014147379.tif 000007
【図７】
2014147379.tif 000008
【図８】
2014147379.tif 000009
【図９】
2014147379.tif 000010
【手続補正書】
【提出日】平成25年4月16日(2013.4.16)
【手続補正１】
【補正対象書類名】図面
【補正対象項目名】全図
【補正方法】変更
【補正の内容】
【図１】
2014147379.tif 000011
【図２】
2014147379.tif 000012
【図３】
2014147379.tif 000013
【図４】
2014147379.tif 000014
【図５】
2014147379.tif 000015
【図６】
2014147379.tif 000016
【図７】
2014147379.tif 000017
【図８】
2014147379.tif 000018
【図９】
2014147379.tif 000019
(57)【要約】【課題】少ない回転数と小さな力で効率よく発電する。【解決手段】電磁誘導体に巻いた発電用コイル２を円形に取り付けた二枚のパネルの間を、同じ径で円盤に取り付けた磁石１を回転させる方法をとれば、コイルと磁石の数を増やすことが容易になり一回転当りでコイルを通過する磁力線の回数は格段に増やすことができ、変速機によるエネルギー消耗を少なくできる。但し、数を増やすことにより大きくなる引力が支障をきたす場合は図面５、６、７、８に示すように反発力をバランスよく配置することにより軽減することもできる。【選択図】図１
2014147279.tif 000002
【特許請求の範囲】
【請求項１】
誘導体に巻いたコイルを円状に配置し、同じ径で円状に組んだ磁石を適度な速度で回転させる事によりコイル内に磁力線を通過させて電気発生させる装置
【請求項２】
誘導体と磁石の引力を距離の変化で調整する。
【請求項３】
誘導体と磁石の引力を磁石同士の反力を利用して軽減し回転に及ぼす負荷を調整する。
【請求項４】
コイルに電気を流すことでモーターにも利用できる。
【発明の詳細な説明】
【技術分野】
【０００１】本発明は、一回転あたりコイルを横切る磁力線の回数を多くして、変速機によるエネルギーロスを出来るだけ少なくしようとする考案である
【背景技術】
【０００２】従来の発電機は、磁石とコイルの配置が内円と外円の関係に配置してあるので、磁石やコイルの数を増やすことがかなり制限され、変速機に依存して回転数を上げざるをえなかった。
【発明の概要】
【発明が解決しようとする課題】
【０００３】発電部の磁石やコイルの数を増やすことでギヤーなど変速機によるエネルギーロスをできるだけ少なくし、効率よく発電できるように考案したものである。
【課題を解決するための手段】
【０００４】従来のようにコイルと磁石が内円、外円の配置ではなく、同径の並行な円上にコイルと磁石を配置する。
【発明の効果】
【０００５】コイルと磁石の数を増やせるので一回転当りコイル間を通る磁力線の回数を増やすことができ、変速機に依存することを少なくできる。【０００６】内円と外円の配置でなく並行に配置してある関係で、コイルと磁石の隙間を調整し易く起動力や引力も調整し易い。【０００７】コイルとコイルの間に反力が働くように磁石を配置すれば、磁石とコイルの間に働く引力を軽減することもできる。
【図面の簡単な説明】
【０００８】
【図１】  原理を分り易く説明した正面図
【図２】  図１正面図内の回転磁石取付け部の側面図
【図３】  図１の側面図で動力伝達部と回転用取手を除けば左右対称であるので一面のみ。
【図４】  図１の構造を三重にした場合のコイル、磁石の配列の参考例図
【図５】  図１の構造に反力用磁石を組み込んだ正面図
【図６】  図１正面図内の回転磁石取付け部の側面図で図２と同じである
【図７】  図５正面図内の回転磁石取付け部の側面図で動力伝達部と回転用取手以外は左右同形である。
【図８】  図５の構造を四重にした場合のコイル、磁石の配列の参考例図
【発明を実施するための形態】
【０００９】以下、発明を実施するための形態について説明する。
（イ）  磁性体に巻きつけたコイルとコイルの間に、円形に配列した磁石を適度な速度で磁力線がコイルのなかを通過するように、回転させて電気を発生させるのを原理とし、コイルと磁石の数を適度な間隔で増やすことにより、より早く多くの電気を作る装置ある。
【符号の説明】
【００１０】  １  磁石
２  電磁誘導体に巻いた発電用コイル
３  発電用コイル固定部
４  回転磁石取付け部
５  磁石回転軸
６  磁石回転軸受け
７  動力伝達部
８  回転用取手
９  組立台
１０  反力用磁石
【図１】
2014147279.tif 000003
【図２】
2014147279.tif 000004
【図３】
2014147279.tif 000005
【図４】
2014147279.tif 000006
【図５】
2014147279.tif 000007
【図６】
2014147279.tif 000008
【図７】
2014147279.tif 000009
【図８】
2014147279.tif 000010